(57)【要約】      （修正有）【課題】タスクに関連する情報を効率的に把握可能にできる制御装置、制御方法、通信端末、及びプログラムを提供する。【解決手段】制御装置１００は、建物に入館した人物を特定する人物特定部１３２と、人物特定部によって特定された人物が、建物内において行うタスクに関連するタスク関連情報を、人物に対応する通信端末に出力させるよう制御する出力制御部１３４とを備える。また、コンピュータを、人物を識別する人物識別情報を出力する識別情報出力部、識別情報出力部によって出力された人物識別情報により人物の建物への入館が許可されたことを示す入館通知を受信する入館通知受信部、入館通知に応じて、人物が建物内において行うタスクに関連するタスク関連情報を取得するタスク関連情報取得部、及びタスク関連情報を出力するよう制御する出力制御部として機能させるためのプログラムを備える。【選択図】図２
2020149087.tif 000002
【特許請求の範囲】
【請求項１】
建物に入館した人物を特定する人物特定部と、
前記人物特定部によって特定された人物が、前記建物内において行うタスクに関連するタスク関連情報を、前記人物に対応する通信端末に出力させるよう制御する出力制御部と
を備える制御装置。
【請求項２】
前記出力制御部は、前記人物のタスクを管理するタスク管理システムから前記人物の前記タスク関連情報を取得する取得指示を、前記通信端末に送信する、請求項１に記載の制御装置。
【請求項３】
前記出力制御部は、前記タスク関連情報を前記通信端末に送信して、前記通信端末に前記タスク関連情報を出力させる、請求項１に記載の制御装置。
【請求項４】
前記人物特定部は、前記人物を識別する人物識別情報を含む前記建物への入館申請情報から前記人物識別情報を取得し、前記人物識別情報によって前記人物を特定する、請求項１から３のいずれか一項に記載の制御装置。
【請求項５】
前記人物特定部は、前記人物に対応する通信端末から前記建物への入館を管理する入館管理システムに対して送信された前記入館申請情報を取得する、請求項４に記載の制御装置。
【請求項６】
前記人物特定部は、前記人物を識別する人物識別情報を格納する入館証から読み取られた前記人物識別情報を取得し、前記人物識別情報によって前記人物を特定する、請求項１から５のいずれか一項に記載の制御装置。
【請求項７】
前記出力制御部は、前記人物が第１の建物に入館した場合に、第１のタスク関連情報を前記人物に対応する通信端末に出力させるよう制御し、前記人物が第２の建物に入館した場合に、前記第１のタスク関連情報とは異なる第２のタスク関連情報を前記通信端末に出力させるよう制御する、請求項１から６のいずれか一項に記載の制御装置。
【請求項８】
前記出力制御部は、前記人物が第１の時間帯に前記建物に入館した場合に、第１のタスク関連情報を前記人物に対応する前記通信端末に出力させるよう制御し、前記人物が前記第１の時間帯とは異なる第２の時間帯に前記建物に入館した場合に、前記第１のタスク関連情報とは異なる第２のタスク関連情報を前記通信端末に出力させるよう制御する、請求項１から６のいずれか一項に記載の制御装置。
【請求項９】
コンピュータを、請求項１から８のいずれか一項に記載の制御装置として機能させるためのプログラム。
【請求項１０】
コンピュータにより実行される、
建物に入館した人物を特定する人物特定段階と、
前記人物特定段階において特定された人物が、前記建物内において行うタスクに関連するタスク関連情報を、前記人物に対応する通信端末に出力させるよう制御する出力制御段階と
を備える制御方法。
【請求項１１】
コンピュータを、
人物を識別する人物識別情報を出力する識別情報出力部、
前記識別情報出力部によって出力された前記人物識別情報により前記人物の建物への入館が許可されたことを示す入館通知を受信する入館通知受信部、
前記入館通知に応じて、前記人物が前記建物内において行うタスクに関連するタスク関連情報を取得するタスク関連情報取得部、及び
前記タスク関連情報を出力するよう制御する出力制御部
として機能させるためのプログラム。
【請求項１２】
前記タスク関連情報取得部は、前記入館通知に応じて、前記人物のタスクを管理するタスク管理システムに対して前記人物の前記タスク関連情報を要求し、前記タスク管理システムから前記タスク関連情報を受信する、請求項１１に記載のプログラム。
【請求項１３】
人物を識別する人物識別情報を出力する識別情報出力部と、
前記識別情報出力部によって出力された前記人物識別情報により前記人物の建物への入館が許可されたことを示す入館通知を受信する入館通知受信部と、
前記入館通知に応じて、前記人物が前記建物内において行うタスクに関連するタスク関連情報を取得するタスク関連情報取得部と、
前記タスク関連情報を出力するよう制御する出力制御部と
を備える通信端末。
【請求項１４】
コンピュータにより実行される、
人物を識別する人物識別情報を出力する識別情報出力段階と、
前記識別情報出力段階において出力された前記人物識別情報により前記人物の建物への入館が許可されたことを示す入館通知を受信する入館通知受信段階と、
前記入館通知に応じて、前記人物が前記建物内において行うタスクに関連するタスク関連情報を取得するタスク関連情報取得段階と、
前記タスク関連情報を出力するよう制御する出力制御段階と
を備える制御方法。
【発明の詳細な説明】
【技術分野】
【０００１】
本発明は、制御装置、制御方法、通信端末、及びプログラムに関する。
【背景技術】
【０００２】
社員のタスクを管理するタスク管理システムが知られていた（例えば、特許文献１参照）。
［先行技術文献］
［特許文献］
［特許文献１］特開２０１８−１９０３４８号公報
【発明の概要】
【発明が解決しようとする課題】
【０００３】
タスクに関連する情報を効率的に把握可能にできる技術を提供することが望ましい。
【課題を解決するための手段】
【０００４】
本発明の第１の態様によれば、制御装置が提供される。制御装置は、建物に入館した人物を特定する人物特定部を備えてよい。制御装置は、人物特定部によって特定された人物が、建物内において行うタスクに関連するタスク関連情報を、人物に対応する通信端末に出力させるよう制御する出力制御部を備えてよい。
【０００５】
上記出力制御部は、上記人物のタスクを管理するタスク管理システムから上記人物の上記タスク関連情報を取得する取得指示を、上記通信端末に送信してよい。上記出力制御部は、上記タスク関連情報を上記通信端末に送信して、上記通信端末に上記タスク関連情報を出力させてよい。上記人物特定部は、上記人物を識別する人物識別情報を含む上記建物への入館申請情報から上記人物識別情報を取得し、上記人物識別情報によって上記人物を特定してよい。上記人物特定部は、上記人物に対応する通信端末から上記建物への入館を管理する入館管理システムに対して送信された上記入館申請情報を取得してよい。上記人物特定部は、上記人物を識別する人物識別情報を格納する入館証から読み取られた上記人物識別情報を取得し、上記人物識別情報によって上記人物を特定してよい。
【０００６】
上記出力制御部は、上記人物が第１の建物に入館した場合に、第１のタスク関連情報を上記人物に対応する通信端末に出力させるよう制御し、上記人物が第２の建物に入館した場合に、上記第１のタスク関連情報とは異なる第２のタスク関連情報を上記通信端末に出力させるよう制御してよい。上記出力制御部は、上記人物が第１の時間帯に上記建物に入館した場合に、第１のタスク関連情報を上記人物に対応する上記通信端末に出力させるよう制御し、上記人物が上記第１の時間帯とは異なる第２の時間帯に上記建物に入館した場合に、上記第１のタスク関連情報とは異なる第２のタスク関連情報を上記通信端末に出力させるよう制御してよい。
【０００７】
本発明の第２の態様によれば、コンピュータを、上記制御装置として機能させるためのプログラムが提供される。
【０００８】
本発明の第３の態様によれば、コンピュータにより実行される制御方法が提供される。制御方法は、建物に入館した人物を特定する人物特定段階を備えてよい。制御方法は、人物特定段階において特定された人物が、建物内において行うタスクに関連するタスク関連情報を、人物に対応する通信端末に出力させるよう制御する出力制御段階を備えてよい。
【０００９】
本発明の第４の態様によれば、プログラムが提供される。プログラムは、コンピュータを、人物を識別する人物識別情報を出力する識別情報出力部として機能させるためのものであってよい。プログラムは、コンピュータを、識別情報出力部によって出力された人物識別情報により人物の建物への入館が許可されたことを示す入館通知を受信する入館通知受信部として機能させるためのものであってよい。プログラムは、コンピュータを、入館通知に応じて、人物が建物内において行うタスクに関連するタスク関連情報を取得するタスク関連情報取得部として機能させるためのものであってよい。プログラムは、コンピュータを、タスク関連情報を出力するよう制御する出力制御部として機能させるためのものであってよい。上記タスク関連情報取得部は、上記入館通知に応じて、上記人物のタスクを管理するタスク管理システムに対して上記人物の上記タスク関連情報を要求し、上記タスク管理システムから上記タスク関連情報を受信してよい。
【００１０】
本発明の第５の態様によれば、通信端末が提供される。通信端末は、人物を識別する人物識別情報を出力する識別情報出力部を備えてよい。通信端末は、識別情報出力部によって出力された人物識別情報により人物の建物への入館が許可されたことを示す入館通知を受信する入館通知受信部を備えてよい。通信端末は、入館通知に応じて、人物が建物内において行うタスクに関連するタスク関連情報を取得するタスク関連情報取得部を備えてよい。通信端末は、タスク関連情報を出力するよう制御する出力制御部を備えてよい。
【００１１】
本発明の第６の態様によれば、コンピュータにより実行される制御方法が提供される。制御方法は、人物を識別する人物識別情報を出力する識別情報出力段階を備えてよい。制御方法は、識別情報出力段階において出力された人物識別情報により人物の建物への入館が許可されたことを示す入館通知を受信する入館通知受信段階を備えてよい。制御方法は、入館通知に応じて、人物が建物内において行うタスクに関連するタスク関連情報を取得するタスク関連情報取得段階を備えてよい。制御方法は、タスク関連情報を出力するよう制御する出力制御段階を備えてよい。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１Ａ】システム１０の一例を概略的に示す。
【図１Ｂ】システム１０の他の一例を概略的に示す。
【図２】制御装置１００の機能構成の一例を概略的に示す。
【図３】通信端末２００の機能構成の一例を概略的に示す。
【図４】制御装置１００による処理の流れの一例を概略的に示す。
【図５】通信端末２００による処理の流れの一例を概略的に示す。
【図６】制御装置１００及び通信端末２００として機能するコンピュータ１２００のハードウェア構成の一例を概略的に示す。
【発明を実施するための形態】
【００１４】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１５】
図１Ａは、システム１０の一例を概略的に示す。本実施形態に係るシステム１０は、制御装置１００及び通信端末２００を備える。
【００１６】
制御装置１００は、建物に入館した人物を特定して、特定した人物が建物内において行うタスクに関連するタスク関連情報を、特定した人物に対応する通信端末２００に出力させるよう制御する。人物に対応する通信端末２００は、例えば、当該人物が所有するスマートフォン及びタブレット端末等の携帯通信端末である。制御装置１００は、例えば、会社の建物に入館した社員を特定して、当該社員が会社の建物内において行うタスクに関連するタスク関連情報を、当該社員の所有するスマートフォン及びタブレット端末等に出力させる。
【００１７】
制御装置１００が対象とする建物は、任意の建物であってよい。例えば、制御装置１００は、会社以外の民間組織の建物を対象とする。また、例えば、制御装置１００は、公的組織の建物を対象とする。ここでは、会社の建物を対象とする場合を主に例に挙げて説明する。
【００１８】
制御装置１００及び通信端末２００は、例えば、Ｗｉ−Ｆｉ（登録商標）等の無線通信システムを含む会社内のネットワークを介して通信する。制御装置１００及び通信端末２００は、会社外のネットワークを介して通信してもよい。例えば、制御装置１００及び通信端末２００は、３Ｇ（３ｒｄ  Ｇｅｎｅｒａｔｉｏｎ）通信システム、ＬＴＥ（Ｌｏｎｇ  Ｔｅｒｍ  Ｅｖｏｌｕｔｉｏｎ）通信システム、４Ｇ（４ｔｈ  Ｇｅｎｅｒａｔｉｏｎ）通信システム及び５Ｇ（５ｔｈ  Ｇｅｎｅｒａｔｉｏｎ）通信システム等の移動体無線通信システムを介して通信する。
【００１９】
制御装置１００は、例えば、入館申請を仲介することによって、建物に入館した人物を特定する。例えば、制御装置１００は、社員が所有する通信端末２００から、当該社員を識別する人物識別情報と、当該社員が通過しようとしている入館ゲート４５０を識別するゲート識別情報とを含む入館申請情報を受信する。人物識別情報は、人物を識別することができればどのような情報であってもよい。例えば、人物識別情報は、人物の社員ＩＤである。また、例えば、人物識別情報は、人物が所有する携帯通信端末の識別情報である。
【００２０】
そして、制御装置１００は、入館申請情報を、建物への入館を管理する入館管理システム３００に送信して、入館管理システム３００から入館の可否を受信する。入館可の場合、制御装置１００は、当該社員がゲート識別情報によって識別される入館ゲート４５０を通過できるように、複数の入館ゲート４５０を制御する入館ゲート制御装置４００に、当該入館ゲート４５０を制御させる。
【００２１】
制御装置１００は、入館管理システム３００から受信した入館の可否が入館可である場合に、当該社員が入館したものと判定してよい。制御装置１００は、人物識別情報によって人物を特定してよい。また、例えば入館ゲート制御装置４００が、社員が入館ゲート４５０を通過したか否かを制御装置１００に報告するように構成されている場合、制御装置１００は、通過した報告を受けた場合に、当該社員が入館したものと判定してもよい。制御装置１００と入館管理システム３００とは、社内ネットワークを介して通信してよい。なお、制御装置１００が入館ゲート制御装置４００の機能を有してもよい。すなわち、制御装置１００が、入館ゲート制御装置４００としても機能してもよい。
【００２２】
通信端末２００は、例えば、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）、及びＢＬＥ（Ｂｌｕｅｔｏｏｔｈ  Ｌｏｗ  Ｅｎｅｒｇｙ）等の近距離無線通信を介して、入館ゲート４５０から入館ゲート４５０のゲート識別情報を受信する。そして、通信端末２００は、受信したゲート識別情報と、予め格納していた所有者である社員の人物識別情報とを含む入館申請情報を制御装置１００に送信してよい。
【００２３】
入館管理システム３００は、例えば、建物への入館が許可されている人物の人物識別情報を予め登録しておく。そして、入館管理システム３００は、制御装置１００から受信した入館申請情報に含まれる人物識別情報が、登録している人物識別情報のいずれかと一致する場合に、入館可と判定し、いずれにも一致しない場合、入館否と判定する。制御装置１００と入館管理システム３００とは、社内ネットワークを介して通信してよい。なお、制御装置１００が入館管理システム３００の機能を有してもよい。すなわち、制御装置１００が、入館管理システム３００としても機能してもよい。
【００２４】
入館ゲート４５０は、通過禁止状態と通過許可状態とを有してよい。例えば、入館ゲート４５０は、人物の通過を阻止する部材を有し、通過禁止状態では当該部材によって人物の通過を阻止し、通過許可状態では当該部材による人物の通過の禁止を解除する。当該部材は、例えば、フラッパー及び自動ドア等、人物の通過を阻止するものであればどのような部材であってもよい。入館ゲート４５０は、人物の通過を阻止する部材を有さなくてもよい。例えば、入館ゲート４５０は、警報発生装置を有する。そして、入館ゲート４５０は、通過禁止状態では、人物の通過の検知に応じて警報を発生させ、通過許可状態では、人物の通過を検知しても警報を発生させない。
【００２５】
制御装置１００は、入館申請を仲介することなく、建物に入館した人物を特定してもよい。例えば、通信端末２００又は入館ゲート制御装置４００からの入館申請情報が入館管理システム３００に送信され、入館管理システム３００が入館ゲート制御装置４００を制御する構成とし、制御装置１００は、入館管理システム３００から、入館が許可された社員の人物識別情報と、当該社員に対応する通信端末２００の識別情報とを受信する。そして、制御装置１００は、人物識別情報によって社員を特定し、特定した社員のタスク関連情報を、当該社員に対応する通信端末２００に出力させるよう制御する。
【００２６】
制御装置１００は、特定した社員が建物内で行うタスクに関連するタスク関連情報を、当該社員に対応する通信端末２００に出力させるよう制御する。制御装置１００は、例えば、特定した社員のタスク関連情報を、社員が行うタスクを管理するタスク管理システム５００から取得する取得指示を、通信端末２００に送信する。通信端末２００は、取得指示を受信したことに応じて、タスク管理システム５００から当該社員のタスク関連情報を受信して、表示出力したり、音声出力したりしてよい。
【００２７】
取得指示は、通信端末２００がタスク管理システム５００からタスク関連情報を取得するためのアプリケーションを起動する起動指示を含んでもよい。当該取得指示を受信した通信端末２００は、アプリケーションを起動して、タスク管理システム５００から当該社員のタスク関連情報を取得する。
【００２８】
また、制御装置１００は、例えば、特定した社員のタスク関連情報をタスク管理システム５００から受信して、通信端末２００に送信する。通信端末２００は、受信したタスク関連情報を表示出力したり、音声出力したりしてよい。
【００２９】
なお、制御装置１００は、特定した社員のタスク関連情報を、会社の建物内に設置されている当該社員用のＰＣ（Ｐｅｒｓｏｎａｌ  Ｃｏｍｐｕｔｅｒ）等の通信端末に出力させるよう制御してもよい。制御装置１００は、例えば、特定した社員のタスク関連情報を、社員が行うタスクを管理するタスク管理システム５００から取得する取得指示を、当該通信端末に送信する。また、制御装置１００は、例えば、特定した社員のタスク関連情報をタスク管理システム５００から受信して、当該通信端末に送信する。当該通信端末は、受信したタスク関連情報を表示出力したり、音声出力したりしてよい。
【００３０】
タスク管理システム５００は、社員が行うタスクの情報を管理する。社員が行うタスクは、例えば、事前に社員自らによってタスク管理システム５００に登録される。また、社員が行うタスクは、社員の上司等によって登録されてもよい。また、社員が行うタスクは、ワークフロー管理システムによって登録されてもよい。ワークフロー管理システムは、例えば、社員による経費精算の申請、上長による承認、管理部署による承認、等のフローを管理する。例えば、社員による申請が行われており、上長による承認がまだ行われていない状況において、ワークフロー管理システムは、タスク管理システム５００に対して、上長が行うべきタスクとして当該承認のタスクを登録する。
【００３１】
タスク管理システム５００は、社員に必要な情報をさらに管理してよい。社員に必要な情報は、社員がタスクを行う上で必要になる情報であってよい。例えば、社員に必要な情報は、社員に関連する人事の通達等である。
【００３２】
タスク管理システム５００は、レコメンド情報をさらに管理してよい。レコメンド情報とは、社員が行うべきタスクを推奨する情報や、社員が使用すると仕事をより効率的に行うことができる機能を推奨する情報等である。例えば、タスク管理システム５００は、社外のイベントホールで組織のキックオフが行われたにも関わらず、交通費の精算がまだ行われていない状況において、交通費の精算をレコメンド情報として管理する。レコメンド情報として、例えば、管理者が必要と思った内容、及びワークフローのステータスの状況で必要と思われる内容が登録される。また、アプリケーションの任意のタイミングで登録される。なお、制御装置１００がタスク管理システム５００の機能を有してもよい。すなわち、制御装置１００が、タスク管理システム５００としても機能してもよい。タスク関連情報は、例えば、社員が行うタスク、社員に必要な情報、及びレコメンド情報のうちの少なくともいずれかを含む。
【００３３】
多様な事業領域を組み合わせて新しいビジネスを考え出したり、国内に問わず、国外のサービスを活用してビジネスや社内の効率化を考え出す上で、社員がインプットすべき情報はとても多く、実行しなくてはいけないタスクもとても多い状況になっている。このため、各自の社員の中で必要な情報やタスクを管理することはとても難しい状況にある。
【００３４】
それに対して、本実施形態に係るシステム１０によれば、例えば、社員が仕事を始めるタイミング（出社したタイミング）で、タスク関連情報が社員の通信端末２００によって出力され、出社したその日に行うタスク、必要な情報、及びレコメンド情報等を確認可能にできるので、生産性を上げやすい環境を提供することができる。
【００３５】
会社の建物が複数存在し、１人の社員が異なる建物に出勤することがある場合、制御装置１００は、社員が複数の建物のうちいずれの建物に入館したかに応じて、当該社員に対応する通信端末２００に出力させる当該社員のタスク関連情報の内容を変更してもよい。制御装置１００は、例えば、社員が第１の建物に入館した場合に、第１のタスク関連情報を通信端末２００に出力させるよう制御し、社員が第２の建物に入館した場合に、第１のタスク関連情報とは異なる第２のタスク関連情報を通信端末２００に出力させるよう制御する。
【００３６】
制御装置１００は、例えば、社員が本社に入館した場合に、本社で行うタスクに関するタスク関連情報を通信端末２００に出力させるよう制御し、社員が研究所に入館した場合に、研究所で行うタスクに関するタスク関連情報を通信端末２００に出力させるよう制御する。本社で行うタスクに関するタスク関連情報は、例えば、交通費清算の申請に関する情報を含む。研究所で行うタスクに関するタスク関連情報は、例えば、その日に研究所で行う必要がある実験のリストを含む。社員が入館した建物に応じて出力させるタスク関連情報の内容を変更することによって、社員の状況に合った情報を社員に提供することができる。
【００３７】
制御装置１００は、社員が建物に入館したタイミングに応じて、当該社員に対応する通信端末２００に出力させる当該社員のタスク関連情報の内容を変更してもよい。制御装置１００は、例えば、社員が第１の時間帯に会社の所有する建物に入館した場合に、第１のタスク関連情報を通信端末２００に出力させるよう制御し、社員が第１の時間帯とは異なる第２の時間帯に会社の所有する建物に入館した場合に、第１のタスク関連情報とは異なる第２のタスク関連情報を通信端末２００に出力させるよう制御する。
【００３８】
制御装置１００は、例えば、社員が始業時間前の時間帯に建物に入館した場合に、その日に行うタスクに関連するタスク関連情報を通信端末２００に出力させるよう制御し、社員が例えば半休を取得して午後の時間帯に建物に入館した場合に、その日に行うタスクのうち入館する前の時間帯に行うタスクを除いたものに関連するタスク関連情報を通信端末２００に出力させるよう制御する。例えば、制御装置１００は、社員が午後の時間帯に建物に入館した場合、午前中の会議に関連するタスク関連情報は出力させない。社員が建物に入館したタイミングに応じて出力させるタスク関連情報の内容を変更することによって、タイミングに合った情報を社員に提供することができる。
【００３９】
制御装置１００は、社員が建物に入館した時刻から予め定められた時間範囲内に当該建物に入館した他の社員に応じて、当該社員に対応する通信端末２００に出力させる当該社員のタスク関連情報を変更してもよい。制御装置１００は、例えば、社員が建物に入館した時刻から予め定められた時間範囲内に会社の所有する建物に入館した他の社員を特定し、当該他の社員に応じた当該社員のタスク関連情報を通信端末２００に出力させるよう制御する。
【００４０】
制御装置１００は、例えば、社員が建物に入館した時刻から予め定められた時間範囲内に当該建物に入館した当該社員の上司を特定し、当該上司の承認が必要なタスクに関連するタスク関連情報を通信端末２００に優先的に出力させる。社員と、当該社員が建物に入館した時刻から予め定められた時間範囲内に当該建物に入館した他の社員とは、入館後に顔を合わせる可能性が比較的高い。このため、当該他の社員に関係するタスクのタスク関連情報を当該社員に提示しておくことによって、タスクをより効率的に進めることを支援することができる。
【００４１】
図１Ｂは、システム１０の他の一例を概略的に示す。図１Ｂに示すシステム１０は、制御装置１００を含む。システム１０は、通信端末２５０を含んでもよい。システム１０は、ＩＣカード２０を含んでもよい。
【００４２】
制御装置１００は、建物に入館した人物を特定して、特定した人物が建物内において行うタスクに関連するタスク関連情報を、特定した人物に対応する通信端末２５０に出力させるよう制御する。制御装置１００は、例えば、会社の建物に入館した社員を特定して、当該社員が会社の建物内において行うタスクに関連するタスク関連情報を、当該社員に対応する通信端末２５０に出力させる。
【００４３】
社員に対応する通信端末２５０は、例えば、当該社員が所有するスマートフォン及びタブレット端末等の携帯通信端末である。このような通信端末２５０と制御装置１００とは、例えば、Ｗｉ−Ｆｉ等の無線通信システムを含む会社内のネットワークを介して通信する。制御装置１００及び通信端末２５０は、会社外のネットワークを介して通信してもよい。タスク関連情報をこのような通信端末２５０に出力させることにより、出社した社員に、当該社員が会社の建物内において行うタスクを迅速に確認させることができる。
【００４４】
また、社員に対応する通信端末２５０は、例えば、会社の建物内に設置されている当該社員用のＰＣ等である。このような通信端末２５０と制御装置１００とは、会社内のネットワークを介して通信してよい。タスク関連情報をこのような通信端末２５０に出力させることにより、出社した社員に、当該社員が仕事を開始するタイミングに合わせて、当該社員が会社の建物内において行うタスクを確認させることができる。
【００４５】
制御装置１００は、複数の社員と、複数の社員のそれぞれに対応する通信端末２５０との対応付けを予め格納していてよい。例えば、制御装置１００は、複数の社員のそれぞれの社員ＩＤと、複数の社員のそれぞれに対応する通信端末２５０との対応付けを予め格納しておく。
【００４６】
図１Ｂに示すシステム１０では、制御装置１００が入館申請情報を通信端末２５０から受信するのではなく、入館ゲート制御装置４００から受信するように構成されてよい。例えば、入館ゲート４５０は、ＩＣカード２０から人物識別情報を受信する。ＩＣカード２０は、例えば、入館証として用いられるものである。入館ゲート４５０は、受信した人物識別情報と、自らのゲート識別情報とを入館ゲート制御装置４００に送信してよい。入館ゲート制御装置４００は、受信した人物識別情報及びゲート識別情報を含む入館申請情報を制御装置１００に送信してよい。
【００４７】
また、例えば、入館ゲート４５０が、顔認証、指紋認証、虹彩認証、及び静脈認証等の生体認証に対応している場合、入館ゲート４５０は、生体情報を人物識別情報として取得してもよい。入館ゲート４５０は、取得した生体情報と、自らのゲート識別情報とを入館ゲート制御装置４００に送信してよい。入館ゲート制御装置４００は、受信した生体情報及びゲート識別情報を含む入館申請情報を制御装置１００に送信してよい。
【００４８】
また、例えば、入館ゲート４５０が、通信端末２５０によって出力された人物識別情報を、取得してもよい。通信端末２５０は、例えば、近距離無線通信を介して人物識別情報を入館ゲート４５０に送信する。また、通信端末２５０は、例えば、人物識別情報を含むバーコード及び二次元コード等のコードを表示し、入館ゲート４５０が当該コードから人物識別情報を読み取る。入館ゲート４５０は、取得した人物識別情報と、自らのゲート識別情報とを入館ゲート制御装置４００に送信してよい。入館ゲート制御装置４００は、受信した人物識別情報及びゲート識別情報を含む入館申請情報を制御装置１００に送信してよい。入館ゲート制御装置４００は、受信した人物識別情報をタスク管理システム５００に送信してもよい。
【００４９】
制御装置１００は、入館申請情報を、入館管理システム３００に送信して、入館管理システム３００から入館の可否を受信する。入館可の場合、制御装置１００は、社員がゲート識別情報によって識別される入館ゲート４５０を通過できるように、複数の入館ゲート４５０を制御する入館ゲート制御装置４００に、当該入館ゲート４５０を制御させる。
【００５０】
制御装置１００は、入館管理システム３００から受信した入館の可否が入館可である場合に、当該社員が入館したものと判定してよい。制御装置１００は、人物識別情報によって人物を特定してよい。また、例えば入館ゲート制御装置４００が、社員が入館ゲート４５０を通過したか否かを制御装置１００に報告するように構成されている場合、制御装置１００は、通過した報告を受けた場合に、当該社員が入館したものと判定してもよい。制御装置１００と入館管理システム３００とは、社内ネットワークを介して通信してよい。
【００５１】
制御装置１００は、特定した社員が建物内で行うタスクに関連するタスク関連情報を、当該社員に対応する通信端末２５０に出力させるよう制御する。制御装置１００は、例えば、特定した社員のタスク関連情報を、社員が行うタスクを管理するタスク管理システム５００から取得する取得指示を、通信端末２５０に送信する。通信端末２５０は、取得指示を受信したことに応じて、タスク管理システム５００から当該社員のタスク関連情報を受信して、表示出力したり、音声出力したりしてよい。また、制御装置１００は、例えば、特定した社員のタスク関連情報をタスク管理システム５００から受信して、通信端末２５０に送信する。通信端末２５０は、受信したタスク関連情報を表示出力したり、音声出力したりしてよい。
【００５２】
なお、入館ゲート４５０及び入館ゲート制御装置４００が設置されなくてもよい。制御装置１００は、例えば、建物の入り口に設置された監視カメラによって撮像された人物の顔画像を、建物に入館した人物の人物識別情報として取得してもよい。
【００５３】
図２は、制御装置１００の機能構成の一例を概略的に示す。制御装置１００は、入館申請情報受信部１０２、認証制御部１１０、入館制御部１２０、人物特定部１３２、及び出力制御部１３４を備える。なお、制御装置１００がこれらの全ての構成を備えることは必須とは限らない。
【００５４】
入館申請情報受信部１０２は、人物識別情報を含む入館申請情報を受信する。入館申請情報は、ゲート識別情報をさらに含んでよい。入館申請情報受信部１０２は、例えば、通信端末２００から入館管理システム３００に対して送信された入館申請情報を受信する。制御装置１００が入館申請を仲介する場合、制御装置１００は、通信端末２００によって送信された入館申請情報を受信してよい。制御装置１００が入館申請を仲介しない場合、制御装置１００は、通信端末２００から入館管理システム３００に送信された入館申請情報を入館管理システム３００から受信してよい。
【００５５】
入館申請情報受信部１０２は、入館ゲート制御装置４００から入館申請情報を受信してもよい。入館申請情報受信部１０２は、例えば、入館ゲート４５０が、通信端末２００及びＩＣカード２０等から取得した人物識別情報と、当該入館ゲート４５０のゲート識別情報とを含む入館申請情報を入館ゲート制御装置４００から受信する。また、入館申請情報受信部１０２は、例えば、入館ゲート４５０が取得した生体情報と、当該入館ゲート４５０のゲート識別情報とを含む入館申請情報を入館ゲート制御装置４００から受信する。
【００５６】
認証制御部１１０は、入館申請情報受信部１０２が受信した入館申請情報の認証を制御する。認証制御部１１０は、入館申請情報の認証を入館管理システム３００に行わせてよい。認証制御部１１０は、例えば、入館申請情報を入館管理システム３００に送信し、入館管理システム３００から認証結果を受信する。また、認証制御部１１０は、入館申請情報の認証を自らが行ってもよい。例えば、認証制御部１１０は、入館が許可されている人物の人物識別情報を登録しておき、入館申請情報に含まれる人物識別情報と、登録している人物識別情報とを比較することによって、入館申請情報の認証を行う。
【００５７】
入館制御部１２０は、人物識別情報に対応する人物の建物への入館を制御する。入館制御部１２０は、例えば、認証制御部１１０の制御のもと行われた認証の結果が入館可である場合に、人物識別情報によって識別される人物が建物へ入館できるように制御する。例えば、入館制御部１２０は、人物識別情報によって識別される人物が、入館申請情報に含まれる入館ゲート４５０を通過できるように、入館ゲート制御装置４００に当該入館ゲート４５０を制御させる。入館制御部１２０は、入館ゲート制御装置４００による入館ゲート４５０の制御結果を、入館ゲート制御装置４００から受信してもよい。入館制御部１２０は、人物が入館ゲート４５０を通過したことの報告を入館ゲート制御装置４００から受信してもよい。入館制御部１２０は、認証制御部１１０の制御のもと行われた認証の結果が入館可である場合に、入館が許可されたことを示す入館通知を通信端末２００に送信してよい。
【００５８】
入館制御部１２０は、例えば、認証制御部１１０の制御のもと行われた認証の結果が入館否である場合、人物識別情報に対応する人物が建物へ入館することを許可しない。この場合、入館制御部１２０は、入館が許可されなかったことを示すエラー通知を通信端末２００に送信してよい。
【００５９】
人物特定部１３２は、建物に入館した人物を特定する。人物特定部１３２は、入館申請情報受信部１０２が受信した入館申請情報に含まれる人物識別情報によって、人物を特定してよい。人物特定部１３２は、例えば、認証制御部１１０の制御のもと行われた認証の結果が入館可であった場合に、人物が建物に入館したものと判定して人物を特定する。人物特定部１３２は、入館制御部１２０が、人物が通過したことの報告を入館ゲート制御装置４００から受信した場合に、人物が建物に入館したものと判定して人物を特定してもよい。人物特定部１３２は、人物が会社の所有する建物に入館した時刻から予め定められた時間範囲内に会社の所有する建物に入館した他の人物を特定してもよい。
【００６０】
出力制御部１３４は、人物特定部１３２によって特定された人物が、建物内において行うタスクに関連するタスク関連情報を、特定された人物に対応する通信端末２００に出力させるよう制御する。出力制御部１３４は、例えば、タスク管理システム５００からタスク関連情報を取得する取得指示を、通信端末２００に送信して、通信端末２００にタスク関連情報を出力させる。また、出力制御部１３４は、例えば、タスク管理システム５００からタスク関連情報を受信して、通信端末２００に送信して、通信端末２００にタスク関連情報を出力させる。出力制御部１３４は、同様に、人物特定部１３２によって特定された人物が、建物内において行うタスクに関連するタスク関連情報を、特定された人物に対応する通信端末２５０に出力させるよう制御してもよい。
【００６１】
出力制御部１３４は、例えば、特定された人物が第１の建物に入館した場合に、第１のタスク関連情報を通信端末２００に出力させるよう制御し、特定された人物が第２の建物に入館した場合に、第１のタスク関連情報とは異なる第２のタスク関連情報を通信端末２００に出力させるよう制御してもよい。
【００６２】
出力制御部１３４は、例えば、特定された人物が第１の建物に入館した場合に、第１のタスク関連情報を当該人物が所有する通信端末２５０に出力させるよう制御し、特定された人物が第２の建物に入館した場合に、第１のタスク関連情報とは異なる第２のタスク関連情報を当該人物が所有する通信端末２５０に出力させるよう制御してもよい。また、出力制御部１３４は、例えば、特定された人物が第１の建物に入館した場合に、第１のタスク関連情報を当該人物に対応する第１の建物内に設置されている通信端末２５０に出力させるよう制御し、特定された人物が第２の建物に入館した場合に、第１のタスク関連情報とは異なる第２のタスク関連情報を当該人物に対応する第２の建物内に設置されている通信端末２５０に出力させるよう制御してもよい。
【００６３】
出力制御部１３４は、例えば、特定された人物が第１の時間帯に会社の所有する建物に入館した場合に、第１のタスク関連情報を通信端末２００に出力させるよう制御し、特定された人物が第１の時間帯とは異なる第２の時間帯に会社の所有する建物に入館した場合に、第１のタスク関連情報とは異なる第２のタスク関連情報を通信端末２００に出力させるよう制御してもよい。また、出力制御部１３４は、例えば、特定された人物が第１の時間帯に会社の所有する建物に入館した場合に、第１のタスク関連情報を通信端末２５０に出力させるよう制御し、特定された人物が第１の時間帯とは異なる第２の時間帯に会社の所有する建物に入館した場合に、第１のタスク関連情報とは異なる第２のタスク関連情報を通信端末２５０に出力させるよう制御してもよい。
【００６４】
出力制御部１３４は、例えば、特定された人物が会社の所有する建物に入館した時刻から予め定められた時間範囲内に会社の所有する建物に入館した他の人物に応じたタスク関連情報を通信端末２００に出力させるよう制御してもよい。また、出力制御部１３４は、例えば、特定された人物が会社の所有する建物に入館した時刻から予め定められた時間範囲内に会社の所有する建物に入館した他の人物に応じたタスク関連情報を通信端末２５０に出力させるよう制御してもよい。
【００６５】
図３は、通信端末２００の機能構成の一例を概略的に示す。通信端末２００は、格納部２０２、入館ゲート検知部２１２、入館申請情報出力部２１４、認証結果受信部２２０、タスク関連情報取得部２３２、出力制御部２３４、及びエラー出力制御部２４２を備える。なお、通信端末２００がこれらの全ての構成を備えることは必須とは限らない。
【００６６】
格納部２０２は、各種情報を格納する。格納部２０２は、例えば、通信端末２００の所有者の人物識別情報をする。
【００６７】
入館ゲート検知部２１２は、入館ゲート４５０の発信装置が発信する無線信号を検知する。無線信号は、例えば、入館ゲート４５０のゲート識別番号を含む。
【００６８】
入館申請情報出力部２１４は、入館申請情報を出力する。入館申請情報出力部２１４は、例えば、入館ゲート検知部２１２が入館ゲート４５０の無線信号を検知したことに応じて、無線信号に含まれるゲート識別情報と、格納部２０２に格納されている人物識別情報とを含む入館申請情報を制御装置１００に送信する。入館申請情報出力部２１４は、格納部２０２に格納されている人物識別情報を含む入館申請情報を入館ゲート４５０に送信してもよい。入館申請情報出力部２１４は、格納部２０２に格納されている人物識別情報を含む入館申請情報を、バーコード及び２次元バーコード等に含めて、通信端末２００のディスプレイに表示してもよい。入館申請情報出力部２１４は、識別情報出力部の一例であってよい。
【００６９】
認証結果受信部２２０は、入館申請情報出力部２１４が出力した入館申請情報の認証結果を受信する。認証結果受信部２２０は、例えば、入館申請情報により通信端末２００の所有者の建物への入館が許可されたことを示す入館通知を受信する。認証結果受信部２２０は、入館通知受信部の一例である。認証結果受信部２２０は、例えば、入館申請情報の認証結果が入館否であった場合、エラー通知を受信する。
【００７０】
タスク関連情報取得部２３２は、認証結果受信部２２０が受信した入館通知に応じて、通信端末２００の所有者が建物内において行うタスクに関連するタスク関連情報を取得する。タスク関連情報取得部２３２は、例えば、入館通知に応じて、タスク管理システム５００に対して、通信端末２００の所有者のタスク関連情報を要求し、タスク管理システム５００からタスク関連情報を受信する。タスク関連情報取得部２３２は、取得したタスク関連情報を格納部２０２に格納する。
【００７１】
出力制御部２３４は、タスク関連情報取得部２３２が取得したタスク関連情報を出力するよう制御する。出力制御部２３４は、例えば、タスク関連情報を、通信端末２００のディスプレイに表示出力させる。出力制御部２３４は、タスク関連情報を、通信端末２００のスピーカに音声出力させてもよい。
【００７２】
エラー出力制御部２４２は、認証結果受信部２２０が受信したエラー通知を出力させる。エラー出力制御部２４２は、例えば、エラー通知を通信端末２００のディスプレイに表示出力させる。エラー出力制御部２４２は、エラー通知を通信端末２００のスピーカに音声出力させてもよい。
【００７３】
図４は、制御装置１００による処理の流れの一例を概略的に示す。図４に示す処理は、通信端末２００が制御装置１００に対して入館申請情報を送信した状態を開始状態として説明する。
【００７４】
ステップ（ステップをＳと省略して記載する場合がある。）１０２では、入館申請情報受信部１０２が入館申請情報を受信し、入館申請情報に含まれる人物識別情報を取得する。
【００７５】
Ｓ１０４では、認証制御部１１０が、入館申請情報の認証を入館管理システム３００に行わせて、入館可か否かを判定する。入館可の場合、人物特定部１３２が人物識別情報によって人物を特定して、Ｓ１０６に進み、入館否の場合、Ｓ１１０に進む。
【００７６】
Ｓ１０６では、入館制御部１２０が、特定された人物が建物に入館できるよう入館ゲート制御装置４００に制御指示を送信する。Ｓ１０８では、出力制御部２３４が、タスク関連情報を通信端末２００に出力させる。Ｓ１１０では、入館制御部１２０が、建物へ入館することを許可されていないことを示すエラー通知を通信端末２００に送信する。そして、処理を終了する。
【００７７】
図５は、通信端末２００による処理の流れの一例を概略的に示す。図５に示す処理は、通信端末２００の所有者が会社の所有する建物へ入館しようとする状態を開始状態として説明する。
【００７８】
Ｓ２０２では、入館申請情報出力部２１４が、通信端末２００の所有者に対応する人物識別情報を含む入館申請情報を出力する。Ｓ２０４では、認証結果受信部２２０が、制御装置１００から入館通知を受信したか否かを判定する。入館通知を受信した場合は、Ｓ２０６に進む。入館通知を受信していない場合は、Ｓ２１０に進む。
【００７９】
Ｓ２０６では、タスク関連情報取得部２３２が、通信端末２００の所有者のタスク関連情報をタスク管理システム５００から取得する。Ｓ２０８では、出力制御部２３４が、Ｓ２０６においてタスク関連情報取得部２３２が取得したタスク関連情報を出力するよう制御する。
【００８０】
Ｓ２１０では、認証結果受信部２２０が制御装置１００からエラー通知を受信したか否かを判定する。エラー通知を受信した場合は、Ｓ２１２に進み、エラー通知を受信していない場合は、Ｓ２０４に戻る。Ｓ２１２では、エラー出力制御部２４２が、エラー通知を出力するよう制御する。
【００８１】
図６は、制御装置１００又は通信端末２００として機能するコンピュータ１２００のハードウェア構成の一例を概略的に示す。コンピュータ１２００にインストールされたプログラムは、コンピュータ１２００を、本実施形態に係る装置の１又は複数の「部」として機能させ、又はコンピュータ１２００に、本実施形態に係る装置に関連付けられるオペレーション又は当該１又は複数の「部」を実行させることができ、及び／又はコンピュータ１２００に、本発明の実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００８２】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、及びＩＣカードドライブのような入出力ユニットを含み、それらは入出力コントローラ１２２０を介してホストコントローラ１２１０に接続されている。記憶装置１２２４は、ハードディスクドライブ、ソリッドステートドライブ、及びフラッシュメモリ等であってよい。コンピュータ１２００はまた、ＲＯＭ１２３０及び各種入出力ユニットを含み、それらは入出力チップ１２４０を介して入出力コントローラ１２２０に接続されている。
【００８３】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。
【００８４】
通信インタフェース１２２２は、ネットワークを介して他の電子デバイスと通信する。記憶装置１２２４は、コンピュータ１２００内のＣＰＵ１２１２によって使用されるプログラム及びデータを格納する。ＩＣカードドライブは、プログラム及びデータをＩＣカードから読み取り、及び／又はプログラム及びデータをＩＣカードに書き込む。
【００８５】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをＵＳＢポート、パラレルポート、シリアルポート、キーボードポート、マウスポート等を介して、入出力コントローラ１２２０に接続してよい。
【００８６】
プログラムは、ＵＳＢメモリ及びＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００８７】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００８８】
また、ＣＰＵ１２１２は、記憶装置１２２４、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００８９】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００９０】
上で説明したプログラム又はソフトウエアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００９１】
本実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００９２】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００９３】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００９４】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００９５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００９６】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００９７】
１０  システム、２０  ＩＣカード、１００  制御装置、１０２  入館申請情報受信部、１１０  認証制御部、１２０  入館制御部、１３２  人物特定部、１３４  出力制御部、２００  通信端末、２０２  格納部、２１２  入館ゲート検知部、２１４  入館申請情報出力部、２２０  認証結果受信部、２３２  タスク関連情報取得部、２３４  出力制御部、２４２  エラー出力制御部、２５０  通信端末、３００  入館管理システム、４００  入館ゲート制御装置、４５０  入館ゲート、５００  タスク管理システム、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２３０  ＲＯＭ、１２４０  入出力チップ
【図１Ａ】
2020149087.tif 000003
【図１Ｂ】
2020149087.tif 000004
【図２】
2020149087.tif 000005
【図３】
2020149087.tif 000006
【図４】
2020149087.tif 000007
【図５】
2020149087.tif 000008
【図６】
2020149087.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
会社の建物に入館した社員を特定する人物特定部と、
前記人物特定部によって特定された社員が前記建物内において行う前記社員のタスクに関連するタスク関連情報を、前記社員に対応する通信端末に出力させるよう制御する出力制御部と
を備え、
前記出力制御部は、ワークフローにおいて申請に対して前記社員が行うべき承認のタスクに関連する前記タスク関連情報を、前記社員に対応する前記通信端末に出力させるよう制御する、制御装置。
【請求項２】
会社の建物に入館した社員を特定する人物特定部と、
前記人物特定部によって特定された社員が前記建物内において行う前記社員のタスクに関連するタスク関連情報を、前記社員に対応する通信端末に出力させるよう制御する出力制御部と
を備え、
前記出力制御部は、前記社員が第１の建物に入館した場合に、前記第１の建物で前記社員が行う前記社員のタスクに関連する第１のタスク関連情報を前記社員に対応する通信端末に出力させるよう制御し、前記社員が第２の建物に入館した場合に、前記第２の建物で前記社員が行う前記社員のタスクに関連する第２のタスク関連情報を前記通信端末に出力させるよう制御する、制御装置。
【請求項３】
前記出力制御部は、前記社員のタスクを管理するタスク管理システムから前記社員の前記タスク関連情報を取得する取得指示を、前記通信端末に送信する、請求項１又は２に記載の制御装置。
【請求項４】
前記出力制御部は、前記タスク関連情報を前記通信端末に送信して、前記通信端末に前記タスク関連情報を出力させる、請求項１又は２に記載の制御装置。
【請求項５】
前記人物特定部は、前記社員を識別する人物識別情報を含む前記建物への入館申請情報から前記人物識別情報を取得し、前記人物識別情報によって前記社員を特定する、請求項１から４のいずれか一項に記載の制御装置。
【請求項６】
前記人物特定部は、前記社員に対応する通信端末から前記建物への入館を管理する入館管理システムに対して送信された前記入館申請情報を取得する、請求項５に記載の制御装置。
【請求項７】
前記人物特定部は、前記社員を識別する人物識別情報を格納する入館証から読み取られた前記人物識別情報を取得し、前記人物識別情報によって前記社員を特定する、請求項１から６のいずれか一項に記載の制御装置。
【請求項８】
前記出力制御部は、前記社員が第１の時間帯に前記建物に入館した場合に、第１のタスク関連情報を前記社員に対応する前記通信端末に出力させるよう制御し、前記社員が前記第１の時間帯とは異なる第２の時間帯に前記建物に入館した場合に、前記第１のタスク関連情報とは異なる第２のタスク関連情報を前記通信端末に出力させるよう制御する、請求項１から７のいずれか一項に記載の制御装置。
【請求項９】
コンピュータを、請求項１から８のいずれか一項に記載の制御装置として機能させるためのプログラム。
【請求項１０】
コンピュータにより実行される、
会社の建物に入館した社員を特定する人物特定段階と、
前記人物特定段階において特定された社員が前記建物内において行う前記社員のタスクに関連するタスク関連情報を、前記社員に対応する通信端末に出力させるよう制御する出力制御段階と
を備え、
前記出力制御段階は、ワークフローにおいて申請に対して前記社員が行うべき承認のタスクに関連する前記タスク関連情報を、前記社員に対応する前記通信端末に出力させるよう制御する、制御方法。
【請求項１１】
コンピュータにより実行される、
会社の建物に入館した社員を特定する人物特定段階と、
前記人物特定段階において特定された社員が前記建物内において行う前記社員のタスクに関連するタスク関連情報を、前記社員に対応する通信端末に出力させるよう制御する出力制御段階と
を備え、
前記出力制御段階は、前記社員が第１の建物に入館した場合に、前記第１の建物で前記社員が行う前記社員のタスクに関連する第１のタスク関連情報を前記社員に対応する通信端末に出力させるよう制御し、前記社員が第２の建物に入館した場合に、前記第２の建物で前記社員が行う前記社員のタスクに関連する第２のタスク関連情報を前記通信端末に出力させるよう制御する、制御方法。
【請求項１２】
コンピュータを、
社員を識別する人物識別情報を出力する識別情報出力部、
前記識別情報出力部によって出力された前記人物識別情報により前記社員の会社の建物への入館が許可されたことを示す入館通知を受信する入館通知受信部、
前記入館通知に応じて、前記社員が前記建物内において行う前記社員のタスクに関連するタスク関連情報を取得するタスク関連情報取得部、及び
前記タスク関連情報を出力するよう制御する出力制御部であって、ワークフローにおいて申請に対して前記社員が行うべき承認のタスクに関連する前記タスク関連情報を出力するよう制御する、出力制御部
として機能させるためのプログラム。
【請求項１３】
コンピュータを、
社員を識別する人物識別情報を出力する識別情報出力部、
前記識別情報出力部によって出力された前記人物識別情報により前記社員の会社の建物への入館が許可されたことを示す入館通知を受信する入館通知受信部、
前記入館通知に応じて、前記社員が前記建物内において行う前記社員のタスクに関連するタスク関連情報を取得するタスク関連情報取得部、及び
前記タスク関連情報を出力するよう制御する出力制御部であって、前記社員が第１の建物に入館した場合に、前記第１の建物で前記社員が行う前記社員のタスクに関連する第１のタスク関連情報を出力するよう制御し、前記社員が第２の建物に入館した場合に、前記第２の建物で前記社員が行う前記社員のタスクに関連する第２のタスク関連情報を出力するよう制御する、出力制御部
として機能させるためのプログラム。
【請求項１４】
前記タスク関連情報取得部は、前記入館通知に応じて、前記社員のタスクを管理するタスク管理システムに対して前記社員の前記タスク関連情報を要求し、前記タスク管理システムから前記タスク関連情報を受信する、請求項１２又は１３に記載のプログラム。
【請求項１５】
コンピュータにより実行される、
社員を識別する人物識別情報を出力する識別情報出力段階と、
前記識別情報出力段階において出力された前記人物識別情報により前記社員の会社の建物への入館が許可されたことを示す入館通知を受信する入館通知受信段階と、
前記入館通知に応じて、前記社員が前記建物内において行う前記社員のタスクに関連するタスク関連情報を取得するタスク関連情報取得段階と、
前記タスク関連情報を出力するよう制御する出力制御段階であって、ワークフローにおいて申請に対して前記社員が行うべき承認のタスクに関連する前記タスク関連情報を、出力するよう制御する、出力制御段階と
を備える制御方法。
【請求項１６】
コンピュータにより実行される、
社員を識別する人物識別情報を出力する識別情報出力段階と、
前記識別情報出力段階において出力された前記人物識別情報により前記社員の会社の建物への入館が許可されたことを示す入館通知を受信する入館通知受信段階と、
前記入館通知に応じて、前記社員が前記建物内において行う前記社員のタスクに関連するタスク関連情報を取得するタスク関連情報取得段階と、
前記タスク関連情報を出力するよう制御する出力制御段階であって、前記社員が第１の建物に入館した場合に、前記第１の建物で前記社員が行う前記社員のタスクに関連する第１のタスク関連情報を出力するよう制御し、前記社員が第２の建物に入館した場合に、前記第２の建物で前記社員が行う前記社員のタスクに関連する第２のタスク関連情報を出力するよう制御する、出力制御段階と
を備える制御方法。